【手続補正書】
【提出日】平成19年2月28日(2007.2.28)
【手続補正１】
【補正対象書類名】特許請求の範囲
【補正対象項目名】全文
【補正方法】変更
【補正の内容】
【特許請求の範囲】
【請求項１】
周囲ウェート、フロントフェースおよび先端エッジを具備する本体を有し、
上記フロントフェースは、当該フロントフェースの少なくとも５０％を含む第１セクションおよび先端エッジの中央部分を形成して、第１の厚さを有するフロントインサートを有し、
上記フロントフェースは、上記第１の厚さより厚い第２の厚さを有する第２セクションを有し、
上記第２セクションが上記先端エッジのヒール部およびトウ部を形成することを特徴とするアイアンゴルフクラブヘッド。
【請求項２】
上記第１セクションの厚さは約０．１５２ｃｍ（０．０６インチ）から約０．３０５ｃｍ（０．１２インチ）の範囲である請求項１記載のクラブヘッド。
【請求項３】
上記インサートの面積は１６．１ｃｍ２（２．５平方インチ）から２５．８ｃｍ２（４．０平方インチ）の間である請求項１記載のクラブヘッド。
【請求項４】
上記クラブヘッドは０．７９より大きな反発係数を有する請求項１記載のクラブヘッド。
【請求項５】
上記第１セクションは実質的に均一な厚さを有する請求項１記載のクラブヘッド。
【請求項６】
上記周囲ウェートはソールセクションを有し、上記第１セクションが上記先端エッジの下方で包み込まれ上記ソールセクションの中央部分を形成する請求項１記載のクラブヘッド。
【請求項７】
上記第１セクションは上記フロントフェースに溶接される請求項１記載のクラブヘッド。
【請求項８】
上記第１セクションは鍛造されたステンレス鋼から製造される請求項１記載のクラブヘッド。
【請求項９】
上記第１セクションは加圧成型されたステンレス鋼から製造される請求項１記載のクラブヘッド。
【請求項１０】
上記フロントフェースは、降伏強度が１０００００ｐｓｉより大きく伸長率が約１５％より小さい、高強度鋼により製造される請求項１記載のクラブヘッド。
【請求項１１】
上記フロントフェースは、降伏強度が１０００００ｐｓｉおよび１５００００ｐｓｉの間であるチタン合金により製造される請求項１記載のクラブヘッド。
【請求項１２】
上記中央部分は、約１．２７ｃｍ（０．５インチ）から約３．８１（１．５インチ）の幅を有し、約０．７６２ｃｍ（０．３０インチ）から約２．５４ｃｍ（１．０インチ）の奥行きで上記先端エッジの下方に包み込まれる請求項１記載のクラブヘッド。
【請求項１３】
上記ヒール部分および上記トウ部分の各ソール厚さは、上記第１セクションの厚さより少なくとも２０％大きい請求項６記載のクラブヘッド。
【請求項１４】
上記ヒール部およびトウ部の各々の厚さは約０．３０５ｃｍ（０．１２インチ）から約０．６３５ｃｍ（０．２５インチ）である請求項１記載のクラブヘッド。
【請求項１５】
上記周囲ウェートは背面キャビティを囲み、複合材インサートが上記背面キャビティ内に介挿され上記フロントフェースのバック表面に結合される請求項１記載のクラブヘッド。
【請求項１６】
上記周囲ウェートは、
当該周囲ウェートにより画定される背面キャビティと、
高比重フィラー添加プラスチックからなる複合材インサートとを有し、
上記服棒材インサートは上記背面キャビティ内に介挿され上記フロントフェースのバック表面に結合される請求項１記載のクラブヘッド。
【請求項１７】
複数のヘッドであって対応するシャフトおよびグリップに結合されたものを含む１組のアイアンゴルフクラブにおいて、
上記ヘッドのいくつかは、それぞれ、
トウセクション、ヒールセクション、トップセクションおおびソールセクションからなり、背面キャビティを画定する周囲ウェートと、
上記周囲ウェートと結合され上記フロントフェースの実質的に全体と先端エッジの中央部分とを形成するフロントインサートからなる第１セクションとを有することを特徴とする１組のゴルフクラブ。
【請求項１８】
周囲ウェート、フロントプレートを具備するフロントフェースおよび先端エッジを有する本体を有し、
上記フロントプレートは上記フロントフェースの少なくとも５０％の部分と上記先端エッジの中央部分を形成し、第１の厚さを有し、
上記フロントフェースは、上記第１の厚さよりも厚い第２の厚さを有する第２セクションを具備し、
上記第２セクションは上記先端エッジのヒール部およびトウ部を構成することを特徴とするアイアンゴルフクラブヘッド。
【請求項１９】
複数のヘッドであって対応するシャフトおよびグリップに結合されたものを含む１組のアイアンゴルフクラブにおいて、
上記ヘッドのいくつかは、それぞれ、
トウセクション、ヒールセクション、トップセクションおおびソールセクションからなり、背面キャビティを画定する周囲ウェートと、
上記周囲ウェートと結合され上記フロントフェースの実質的な全体と先端エッジの中央部分とを形成するフロントプレートとを有することを特徴とする１組のゴルフクラブ。
【請求項２０】
上記アイアンは０．８より大きな反発係数を有する請求項１９記載の１組のクラブ。
【請求項２１】
上記フロントプレートは６．４５ｃｍ２（１平方インチ）から２５．８ｃｍ２（４平方インチ）の面積を有し、約０．０５１ｃｍ（０．０２インチ）から０．０６４ｃｍ（０．０２５インチ）の厚さを有し、約２グラムから２４グラムの重さを有する請求項１９記載の１組のクラブ。
【請求項２２】
上記フロントフェースは１６°から４０°のロフト角を有し、上記インサートは最大厚さが０．３０５ｃｍ（０．１２インチ）より小さい請求項１９記載の１組のクラブ。
【請求項２３】
上記フロントプレートの厚さは０．１５２ｃｍ（０．０６インチ）から２．５４ｃｍ（１．０インチ）の間であり、その厚さは実質的に均一である請求項１９記載の１組のクラブ。
【請求項２４】
高比重フィラー添加プラスチックからなる複合材インサートが上記背面キャビティに介挿され上記フロントフェースのバック表面に結合される請求項１９記載の１組のクラブ。
【請求項２５】
高比重フィラーはタングステンである請求項２４記載の１組のクラブ。
【請求項２６】
上記高比重フィラー添加プラスチックを有する上記複合材インサートの背面側が織り込まれた繊維複合シートに結像される請求項２４記載の１組のクラブ。
【手続補正２】
【補正対象書類名】明細書
【補正対象項目名】００２２
【補正方法】変更
【補正の内容】
【００２２】
ここに開示された説明用の実施例は上述の目的を達成するものであるが、多数の変形例や他の実施例を当業者がなせることは容易に理解できる。特許請求の範囲はこのような変形例や実施例をカバーするように記載されこれらは特許請求の範囲の技術的範囲に含まれることは明らかである。
なお、この発明は以下の特徴を含む。
（１）  周囲ウェート、フロントフェースおよび先端エッジを具備する本体を有し、
上記フロントフェースは、当該フロントフェースの少なくとも５０％を含む第１セクションおよび先端エッジの中央部分を形成して、第１の厚さを有するフロントインサートを有し、
上記フロントフェースは、上記第１の厚さより厚い第２の厚さを有する第２セクションを有し、
上記第２セクションが上記先端エッジのヒール部およびトウ部を形成することを特徴とするアイアンゴルフクラブヘッド。
（２）  上記第１セクションの厚さは約０．０６インチから約０．１２インチの範囲である特徴（１）記載のクラブヘッド。
（３）  上記インサートの面積は２．５平方インチから４．０平方インチの間である特徴（１）記載のクラブヘッド。
（４）  上記クラブヘッドは０．７９より大きな反発係数を有する特徴（１）記載のクラブヘッド。
（５）  上記第１セクションは実質的に均一な厚さを有する特徴（１）記載のクラブヘッド。
（６）  上記周囲ウェートはソールセクションを有し、上記第１セクションが上記先端エッジの下方で包み込まれ上記ソールセクションの中央部分を形成する特徴（１）記載のクラブヘッド。
（７）  上記第１セクションは上記フロントフェースに溶接される特徴（１）記載のクラブヘッド。
（８）  上記第１セクションは鍛造されたステンレス鋼から製造される特徴（１）記載のクラブヘッド。
（９）  上記第１セクションは加圧成型されたステンレス鋼から製造される特徴（１）記載のクラブヘッド。
（１０）  上記フロントフェースは、降伏強度が１０００００ｐｓｉより大きく伸長率が約１５％より小さい、高強度鋼により製造される特徴（１）記載のクラブヘッド。
（１１）  上記フロントフェースは、降伏強度が１０００００ｐｓｉおよび１５００００ｐｓｉの間であるチタン合金により製造される特徴（１）記載のクラブヘッド。
（１２）  上記中央部分は、約０．５インチから約１．５インチの幅を有し、約０．３０インチから約１．０インチの奥行きで上記先端エッジの下方に包み込まれる特徴（１）記載のクラブヘッド。
（１３）  上記ヒール部分および上記トウ部分の各ソール厚さは、上記第１セクションの厚さより少なくとも２０％大きい特徴（６）記載のクラブヘッド。
（１４）  上記ヒール部およびトウ部の各々の厚さは約０．１２インチから約０．２５インチである特徴（１）記載のクラブヘッド。
（１５）  上記周囲ウェートは背面キャビティを囲み、複合材インサートが上記背面キャビティ内に介挿され上記フロントフェースのバック表面に結合される特徴（１）記載のクラブヘッド。
（１６）  上記周囲ウェートは、
当該周囲ウェートにより画定される背面キャビティと、
高比重フィラー添加プラスチックからなる複合材インサートとを有し、
上記服棒材インサートは上記背面キャビティ内に介挿され上記フロントフェースのバック表面に結合される特徴（１）記載のクラブヘッド。
（１７）  複数のヘッドであって対応するシャフトおよびグリップに結合されたものを含む１組のアイアンゴルフクラブにおいて、
上記ヘッドのいくつかは、それぞれ、
トウセクション、ヒールセクション、トップセクションおおびソールセクションからなり、背面キャビティを画定する周囲ウェートと、
上記周囲ウェートと結合され上記フロントフェースの実質的に全体と先端エッジの中央部分とを形成するフロントインサートからなる第１セクションとを有することを特徴とする１組のゴルフクラブ。
（１８）  上記アイアンは０．８より大きな反発係数を有する特徴（１７）記載のクラブ。
（１９）  上記第１セクションは１平方インチから４平方インチの面積を有し、約０．０２インチから０．０２５インチの厚さを有し、約２グラムから２４グラムの重さを有する特徴（１７）記載のクラブ。
（２０）  上記フロントフェースは１６°から４０°のロフト角を有し、上記インサートは最大厚さが０．１２インチより小さい特徴（１７）記載のクラブ。
（２１）  上記第１セクションの厚さは０．０６インチから１．０インチの間であり、その厚さは実質的に均一である特徴（１７）記載のクラブ。
（２２）  高比重フィラー添加プラスチックからなる複合材インサートが上記背面キャビティに介挿され上記フロントフェースのバック表面に結合される特徴（１７）記載のクラブ。
（２３）  高比重フィラーはタングステンである特徴（２２）記載のクラブ。
（２４）  上記高比重フィラー添加プラスチックを有する上記複合材インサートの背面側が織り込まれた繊維複合シートに結像される特徴（２２）記載のクラブ。
（２５）  周囲ウェート、フロントプレートを具備するフロントフェースおよび先端エッジを有する本体を有し、
上記フロントプレートは上記フロントフェースの少なくとも５０％の部分と上記先端エッジの中央部分を形成し、第１の厚さを有し、
上記フロントフェースは、上記第１の厚さよりも厚い第２の厚さを有する第２セクションを具備し、
上記第２セクションは上記先端エッジのヒール部およびトウ部を構成することを特徴とするアイアンゴルフクラブヘッド。
（２６）  上記フロントプレートの厚さは約０．０６０インチから約０．１２インチの間である特徴（２５）記載のクラブヘッド。
（２７）  上記フロントプレートの面積は２．５平方インチから４．０平方インチの間である特徴（２５）記載のクラブヘッド。
（２８）  上記クラブヘッドの反発係数は０．７９より大きい特徴（２５）記載のクラブヘッド。
（２９）  上記フロンとプレートの厚さは実質的に均一である特徴（２５）記載のクラブヘッド。
（３０）  上記周囲ウェートはソールセクションを含み、上記フロントプレートが上記先端エッジの下方で包み込まれ上記ソールセクションの中央部分を形成する特徴（２５）記載のクラブヘッド。
（３１）  上記フロンとプレートは上記フロントフェースに溶接される特徴（２５）記載のクラブヘッド。
（３２）  上記フロントプレートは鍛造されたステンレス鋼から製造される特徴（２５）記載のクラブヘッド。
（３３）  上記フロントプレートは加圧成型されたステンレス鋼から製造される特徴（２５）記載のクラブヘッド。
（３４）  上記フロントプレートは、降伏強度が１０００００ｐｓｉより大きく伸長率が約１５％より小さい、高強度鋼により製造される特徴（２５）記載のクラブヘッド。
（３５）  上記フロントプレートは、降伏強度が１０００００ｐｓｉおよび１５００００ｐｓｉの間であるチタン合金により製造される特徴（２５）記載のクラブヘッド。
（３６）  上記ソールセクションの上記中央部分は、約０．５インチから約１．５インチの幅を有し、約０．３０インチから約１．０インチの奥行きで上記先端エッジの下方に包み込まれる特徴（３０）記載のクラブヘッド。
（３７）  上記ヒール部および上記トウ部はそれぞれ上記フロントプレートよりも少なくとも２０％厚いソール厚さを有する特徴（２５）記載のクラブヘッド。
（３８）  上記ヒール部および上記トウ部のそれぞれの厚さは約０．１２インチから約０．２５インチである特徴（２５）記載のクラブヘッド。
（３９）  上記周囲ウェートは背面キャビティを包囲し、複合材インサートが上記背面キャビティ中に介挿され上記フロントフェースのバック表面に結合される特徴（２５）記載のクラブヘッド。
（４０）  上記周囲ウェートは、
当該周囲ウェートにより画定される背面キャビティと、
高比重フィラー添加プラスチックからなる複合材インサートとを有し、
上記服棒材インサートは上記背面キャビティ内に介挿され上記フロントフェースのバック表面に結合される特徴（２５）記載のクラブヘッド。
（４１）  複数のヘッドであって対応するシャフトおよびグリップに結合されたものを含む１組のアイアンゴルフクラブにおいて、
上記ヘッドのいくつかは、それぞれ、
トウセクション、ヒールセクション、トップセクションおおびソールセクションからなり、背面キャビティを画定する周囲ウェートと、
上記周囲ウェートと結合され上記フロントフェースの実質的な全体と先端エッジの中央部分とを形成するフロントプレートとを有することを特徴とする１組のゴルフクラブ。
（４２）  上記アイアンは０．８より大きな反発係数を有する特徴（４１）記載のクラブ。
（４３）  上記フロントプレートは１平方インチから４平方インチの面積を有し、約０．０２インチから０．０２５インチの厚さを有し、約２グラムから２４グラムの重さを有する特徴（４１）記載のクラブ。
（４４）  上記フロントフェースは１６°から４０°のロフト角を有し、上記インサートは最大厚さが０．１２インチより小さい特徴（４１）記載のクラブ。
（４５）  上記フロントプレートの厚さは０．０６インチから１．０インチの間であり、その厚さは実質的に均一である特徴（４１）記載のクラブ。
（４６）  高比重フィラー添加プラスチックからなる複合材インサートが上記背面キャビティに介挿され上記フロントフェースのバック表面に結合される特徴（４１）記載のクラブ。
（４７）  高比重フィラーはタングステンである特徴（４６）記載のクラブ。
（４８）  上記高比重フィラー添加プラスチックを有する上記複合材インサートの背面側が織り込まれた繊維複合シートに結像される特徴（４６）記載のクラブ。